(57)【要約】【課題】平常時には演出照明を行うとともに、警備会社の防犯センサ信号を用いて確実な防犯を図ることのできる防犯照明システムを提供する。【解決手段】屋内外の複数の照明１〜６の照度をそれぞれ任意に設定および切り替え可能な演出照明のためのコントロールユニット１０と、警備会社に設置された操作パネル２０に設けられた防犯センサの無電圧ａ接点２１の作動によって、コントロールユニット１０により設定された照明の全てまたは特定のものを全点灯させる防犯インターフェース１１とを備えた防犯照明システム。通常は、一般の演出照明として、コントロールユニット１０により演出効果を持たせる。警備会社が設置している無電圧ａ接点２１が作動した時に演出照明から全点灯に切り換えることによって、犯罪の発生を未然に食い止めることができ、かつ、警備員が出動により、セキュリティを万全に行うことができる。【選択図】  図１
2005317451.tif 000002
【特許請求の範囲】
【請求項１】
屋内外の複数の照明の照度をそれぞれ任意に設定および切り替え可能な演出照明手段と、警備会社に設置された防犯センサの作動によって、前記演出照明手段により設定された照明の全てまたは特定のものを全点灯させる防犯インターフェース手段とを備えたことを特徴とする防犯照明システム。
【請求項２】
前記演出照明手段は、平常時はある特定の部屋の複数の照明を用いた複数のシーンを予め設定し、かつその複数のシーンを呼び出す機能を備えていることを特徴とする請求項１記載の防犯照明システム。
【請求項３】
前記演出照明手段は、前記複数のシーンを、外光の明るさにより自動的に調光可能な機能を備えていることを特徴とする請求項２記載の防犯照明システム。
【請求項４】
前記演出照明手段は、前記複数のシーンを、在室センサによる人間の有無により自動的に調光可能な機能を備えていることを特徴とする請求項２記載の防犯照明システム。
【請求項５】
前記演出照明手段は、前記複数のシーンを、タイマにより時刻に応じて自動的に調光可能な機能を備えていることを特徴とする請求項２〜４のいずれかの項に記載の防犯照明システム。
【発明の詳細な説明】
【技術分野】
【０００１】
本発明は、特に一般住宅や商用施設における、照明、特に演出照明を利用した防犯照明システムに関する。
【背景技術】
【０００２】
社会情勢や経済情勢の不安定さが長期化する中、一般住宅や商用施設等における空き巣狙いや、強盗などの事件が増加の一途をたどっている。
空き巣狙いは、家人が留守であることを確認して家屋に侵入するものであり、強盗は、家人が居ても、鍵のかかっていない窓などから侵入し、凶器などで家人に脅迫を与えたり暴力により金品を強奪したりするものであるが、最悪の場合は殺傷事件に結びつく。
【０００３】
オフィスや金融機関、工場などにおいては、不審者が侵入したときにセンサを作動させて警報を発する防犯システムが古くからある。
しかし、この警報による防犯システムを一般家庭に適用しても、夜間に警報が鳴った時、泥棒がびっくりして外に逃げてくれればいいが、逃げ場所が判らずに暗闇の家の中をうろうろしているうちに、家人と出くわして危害を加えたりするので却って危険であるという問題がある。また、寝室に寝ていた家人も警報に驚いて目が覚めるが、まだ頭が覚めていない状態であるので、どうすればいいか戸惑ったり、身の危険を感じてパニックになったりするので、必ずしも防犯には適さないという問題がある。
【０００４】
泥棒の心理として、周辺が明るいと見つかるかも知れないので、暗闇を好み、また、しっかりした防犯システムが施されていると感じられる建物には、盗みに入る犯意を失うという傾向が強いと言われている。
このような観点から、防犯センサ作動時に、警報のみならず、照明を点灯したり照度を上げたりして、不審者に警報を発し、盗難等の犯意を無くす防犯システムが採用提案されている。
【０００５】
例えば特許文献１には、留守時に繰り返しタイマにより照明装置あるいは電気音響製品を間欠的にオン・オフし、また就寝時にはドアや窓等に設けられた防犯センサにより不法侵入者を検知して非常ブザーを鳴動させると共に、照明装置を点灯させるように構成した防犯装置が開示されている。
【０００６】
特許文献２には、内部または外部の近傍に、動く物体を検知するセンサと照明装置とを備えた貴重品収納庫において、センサが動く物体もしくは接近を感知することにより、照明装置は少なくとも一箇所以上の照明の照度を高める貴重品収納庫が開示されている。
【０００７】
特許文献３には、戸等に設置した防犯センサが作動したとき、戸外の照度が設定値以下の場合に照明装置を点灯する照明装置が開示されている。
【０００８】
特許文献４には、人体検知手段と照度検知手段との検知出力に応じて、つまり照明制御領域内の人の存在や照度に応じて、照明負荷を点灯、消灯、あるいは調光点灯させる照明装置が開示されている。
【０００９】
特許文献５には、住人の留守中や深夜に住宅家屋や建造物に侵入しようとして接近する人物を検知して屋内の照明を点灯したり警報音や会話音声等を発生し、また電話回線を経由してインターホンにより相手に対する問いかけを試みることにより家屋内部の住人があたかも活動中であるかのような現象を生じさせて家屋への侵入犯罪の実行を未然に防止する防犯装置が開示されている。
【００１０】
特許文献６には、玄関ドアに設けられた撮像装置と、撮像装置の画像を表示するテレビモニタと、撮像装置の画像を記憶する画像メモリと、玄関ドアの把手に設けられ、把手に人が触れたことを検出して接触検出信号を出力するタッチセンサと、玄関ドアの鍵に設けられ、鍵の施錠のときに施錠信号を出力するキースイッチと、画像メモリに記憶された画像を再生表示させるための指令信号を出力する操作部と、予め設定した所定時間だけ撮像装置に駆動信号を出力させるタイマと、タッチセンサの接触検出信号とキースイッチの施錠信号に基づいてタイマによって設定された時間だけ撮像装置に駆動信号を出力し、操作部の指令信号に基づいてテレビモニタに駆動信号を出力するよう制御する制御部とを備えた防犯装置が開示されている。
【００１１】
特許文献７には、人体から発する赤外線を感知するセンサを備え、センサの信号によってライトを点灯し、またチャイム等の警報装置を作動させる照明器具が開示されている。
【００１２】
特許文献８には、人を検知する人センサ部と、光を出力する照明負荷部と、装置全体の制御を行う点灯制御手段とを備え、人センサ部が人を検知すれば、照明負荷部から出力される光の質を変化させる（点滅等）防犯機能を点灯制御手段により実施可能とした照明装置であって、点灯制御手段は、防犯機能を実施させるか実施させないかの切り替えを、照明装置近傍の明るさに応じて行うことにより、防犯効果と通常の照明器具としての機能を果たすようにした照明器具が開示されている。
【００１３】
特許文献９には、照明負荷部と、点灯制御手段と、人を検知するセンサ部とを備えた照明装置において、センサ部が人を検知してから所定の時間だけ計時動作をするタイマ部を有し、タイマ部の計時動作中に連続的または断続的にセンサ部の検知信号が入力される時、タイマ部の計時動作が終了した時点から、照明負荷部から出力される光の質を変化させること、例えば点滅させることにより、防犯・威嚇効果を発し、通常の照明器具としての機能を持たせつつ防犯照明器具としての効果を持たせた照明装置が開示されている。
【００１４】
特許文献１０には、住戸の玄関に設置されたドアホンと通話を行う住宅情報盤であって、住戸の内部に設置された照明の点灯および消灯用の照明スイッチ群と、照明スイッチ群の動作を制御し、照明を点灯または消灯させる照明制御手段とを備えることにより、外出中でも住人がいるように見せることができ、就寝中でも起きているように見せることができるようにした住宅情報盤が開示されている。
【００１５】
【特許文献１】実開昭５８−１２９５８９号公報
【特許文献２】特開平４−１０２６８２号公報
【特許文献３】特開平４−２８４３９６号公報
【特許文献４】特開平１０−１８９２５５号公報
【特許文献５】特開平１０−２０３５７９号公報
【特許文献６】特開２０００−３０６１７１号公報
【特許文献７】特開２０００−２１５８０号公報
【特許文献８】特開２００３−２０３７８４号公報
【特許文献９】特開２００３−２０８９９０号公報
【特許文献１０】特開２００３−２８１６４９号公報
【発明の開示】
【発明が解決しようとする課題】
【００１６】
しかしながら、これらの特許文献１〜１０において開示されたような、照明器具を制御する防犯装置は、個々の家庭における単独のシステムであり、自己防衛にすぎない。すなわち、不法侵入者が侵入することによりセンサが作動し、明かりがついても、住んでいる人しか判らないし、留守の場合は、侵入者が留守を確認した場合、防犯の役目を果たさなくなる。
【００１７】
そこで本発明は、平常時には演出照明を行うとともに、契約している警備会社の防犯センサ信号の作動により演出照明を全照明にすることにより防犯機能を持たせ、かつ警備会社の出動により確実な防犯を図ることのできる防犯照明システムを提供することを目的とする。
【課題を解決するための手段】
【００１８】
前記課題を解決するため、本発明の第１の構成に係る防犯照明システムは、屋内外の複数の照明の照度をそれぞれ任意に設定および切り替え可能な演出照明手段と、警備会社に設置された防犯センサの作動によって、前記演出照明手段により設定された照明の全てまたは特定のものを全点灯させる防犯インターフェース手段とを備えたものである。
【００１９】
この第１の構成においては、正常時は複数の照明の照度を調光して、時、所、場所に応じた照明効果を各種演出する。演出照明は、通常は、夜間にも照度を落とした状態で点灯させておくことが多い。そのような演出照明時、防犯センサが作動すると、照明の全てまたは特定のものの演出照明から全点灯（最大照度）に一斉に切り換えることにより、犯人を威嚇すると共に、外からも不法侵入者が侵入していることを知らしめる。防犯センサには、窓センサ、キーセンサ、人体センサ等があるが、これを照明の制御のために特別に設置するのではなく、警備会社が設置した防犯センサの信号を利用する。これにより、演出照明と防犯照明とを兼用することができる。
【００２０】
本発明の第２の構成は、演出照明手段は、平常時はある特定の部屋の複数の照明を用いた複数のシーンを予め設定し、かつその複数のシーンを呼び出す機能を備えているものである。
この第２の構成においては、全点灯のほか、たとえばリビングでのホームシアター鑑賞時（完全消灯よりも、少し明るい方が、長時間の鑑賞には好ましい）や、少人数で語らう場合や、夜間の照明を落とす場合や、白熱電球、蛍光灯、調光電球などの光源の組み合わせ、直接照明と間接照明の組み合わせなど複数のシーンを予め設定しておき、時と場合に応じた最適なシーンを呼び出して調光することができる。
【００２１】
本発明の第３の構成は、演出照明手段は、複数のシーンを、外光の明るさにより自動的に調光可能な機能を備えているものである。
この第３の構成においては、昼間、夕暮れ、夜間と、外光の明るさにより照明を自動的に調光することにより、留守にしている時にも、内部に人がいて照明を操作しているという状況を作り、泥棒などが侵入することを躊躇するようにする。
【００２２】
本発明の第４の構成は、演出照明手段は、複数のシーンを、在室センサによる人間の有無により自動的に調光可能な機能を備えているものである。
この第４の構成においては、リビングなど、人が入出すれば自動的に所定の照度に調光し、退室すれば一定時間後に照度を低くすることで、節電と演出照明を行うことができる。
【００２３】
本発明の第５の構成は、演出照明手段は、複数のシーンを、タイマにより時刻に応じて自動的に調光可能な機能を備えているものである。
この第５の構成においては、時刻に応じて照明を調光することで、留守にしている時にも、内部に人がいて照明を操作しているという状況を作り、泥棒などが侵入することを躊躇するようにする。
【発明の効果】
【００２４】
本発明によれば、屋内外の複数の照明の照度をそれぞれ任意に設定および切り替え可能な演出照明手段と、警備会社に設置された防犯センサの作動によって、前記演出照明手段により設定された照明の全てまたは特定のものを全点灯させる防犯インターフェース手段とを備えたことにより、通常は、一般の演出照明として、調光により演出効果を持たせるとともに、警備会社が警備を前提として、セキュリティを行う際に、照明を演出照明から全点灯に制御することによって、明るいところでの犯行を嫌う泥棒の犯意を喪失させ、また周りの住人に目撃されることを嫌うことで、犯罪の発生を未然に食い止めることができ、かつ、次の段階では警備員が出動することにより、セキュリティを万全に行うことができる。
【００２５】
また、音による警報に比べ、泥棒も退路を素早く見つけることができるので、暗いところで退路が見つからずに家人と出会った時にとっさに相手を殺傷するということも未然に防止できる。家人も、照明が全点灯しているので、部屋の明かりを点けて回って犯人の所在を確認する危険も防止することができる。
【発明を実施するための最良の形態】
【００２６】
以下、本発明の実施の形態を、図１および図２に基づいて説明する。
図１は本発明の実施の形態の構成を示すブロック図である。同図に示されているように、防犯照明システムは、一般住宅や商用施設の各照明、例えば一般住宅の外灯１、玄関照明２、廊下照明３、リビング照明４、中庭照明５、寝室照明６を演出照明するためのコントロールユニット１０と、警備会社の操作パネル２０に設置されている異常検出センサのリレーの無電圧ａ接点（または、オープンコレクタ信号でもいい）２１（常開接点）が一瞬閉じた時に作動してその信号をコントロールユニット１０に伝送する防犯インターフェース１１と、シーンコントローラ１２と、リモコン１３とを備えている。警備会社の操作パネル２０の無電圧ａ接点２１は、信号線２２によって防犯インターフェース１１に接続されている。
【００２７】
図２に示すように、防犯インターフェース１１に設けられている、ディップスイッチ１７は１７ａ〜１７ｈの８個のディップスイッチからなり、１７ａ〜１７ｄの４個のディップスイッチと、１７ｅ〜１７ｈの４個のディップスイッチで設定する役割を決めている。
【００２８】
コントロールユニット１０には、防犯インターフェース１１のような補助コントローラを最大１６台まで接続できるようにしている。コントロールユニット１０が各補助コントローラを識別するために、各補助コントローラには独自のアドレスが必要となる。防犯インターフェース１１のディップスイッチ１７ａ〜１７ｄは、そのアドレスを設定するためのものである。
【００２９】
一方、ディップスイッチ１７ｅ〜１７ｈは、防犯インターフェース１１の機能を設定するためのものである。これらの４個のディップスイッチの設定により、入力端子１４に信号を受けたとき、次のように機能することができる。
【００３０】
１．シーン１〜１６をそれぞれ呼び出す。
防犯インターフェース１１を防犯の目的、すなわち警備会社の操作パネル２０から非常信号を受けて非常照明を点灯するには、入力端子１４に信号を受けたとき、シーン１６を呼び出す設定にする。
【００３１】
２．シーンのシーケンスのスタートとストップ
シーン１〜４（またはシーン５〜１６）を順に選択し、シーン４（またはシーン１６）の後はシーン１（またはシーン５）に戻る。あるシーンから次のシーンに移る時間は、そのシーンに記憶されたフェードタイムによる。
【００３２】
３．ゾーンロックとその解除
各ゾーンのプリセット調光レベルの変更を防ぐ。一時的な調節は可能である。
【００３３】
４．シーンロックとその解除
選択中のシーンをロックし、そのシーンのオフ、別のシーンへの変更、プリセット調光レベルの変更を防ぐ。
【００３４】
５．パーティションの開閉
可動パーティションで仕切られた部屋にある複数のコントロールユニットを連動するようにしたり（パーティションが開いているとき）、別々に操作するようにできる（パーティションが閉じているとき）。パーティションの「開」と「閉」の状態を切り換えるには、同じスイッチをもう一度押す。
【００３５】
６．在室センサと組み合わせ、シーン１のオンオフをする。
部屋に入ると在室センサが検知して、指定されたコントロールユニットのシーン１を選択する。シーン１が選択された後は、コントロールユニットまたは補助コントロールで、他のシーンを選択することもできる。部屋を出るときも、在室センサが検知してコントロールユニットをオフにする。在室センサの作動をオフにしたとき、シーンの選択は手動で行う。部屋を出るときは、在室センサが検知してコントロールユニットをオフにする。
【００３６】
防犯インターフェース１１は、警備会社の操作パネル２０の無電圧ａ接点２１から閉成信号を受けたとき、ディップスイッチ１７を予め設定することにより、次のように機能することができる。
【００３７】
１．非常時のシーンの設定について
コントロールユニット１０で設定できる演出照明のシーン１〜４の中から非常時シーンをどれか割り当てることが可能である。非常時に呼び出されるシーンを予め決めておき、これを防犯インターフェース１１に、非常シーンを呼び出しシーンロックする、という機能があるからである。
【００３８】
２．非常時以外の演出照明シーンの設定について
非常時以外の普通の演出照明のシーンをディップスイッチ１７により設定するとき、非常照明のゾーンをレベル０にするだけでなく、無変化ゾーン（シーンを選択した時そのゾーンだけ変化しないようにする）にも設定する必要がある。これは、マスターボタン（照明全体を明るくしたり暗くしたりするボタン）のアップボタンを操作したとき、非常照明も一緒に明るくなってしまうのを防ぐためである。設定した演出照明のシーンを選択するには、各部屋に設けたシーンコントローラ１２をリモコン１３を用いて遠隔操作することができる。演出照明シーンとしては、全点灯のほか、リビングでのホームシアター鑑賞時や、少人数で語らう場合や、夜間の照明を落とす場合や、白熱電球、蛍光灯、調光電球などの光源とそれぞれの明るさの組み合わせ、直接照明と間接照明の組み合わせなど複数のシーンを予め設定しておき、時と場合に応じた最適なシーンを呼び出して調光することができる。
【００３９】
次に、警備会社の操作パネル２０から防犯インターフェース１１への信号について述べると、防犯インターフェース１１をコントロールするための外部信号は、無電圧ａ接点２１である。これはスイッチのＯＮ／ＯＦＦと同じである。２芯の信号線２２の先にスイッチを取り付け、ＯＮ／ＯＦＦすることで簡単に防犯インターフェース１１をコントロールすることができる。警備会社の操作パネル２０側で２芯の信号線２２を短絡すると信号がＯＮになったことになる。信号はワンショット（瞬間的にＯＮになり、すぐにＯＦＦになる）でなければならない。警備会社の操作パネル２０には、各契約住宅や商用施設に設置した各種防犯センサの動作を監視する無電圧ａ接点２１配線されており、これを利用する。無電圧ａ接点２１は、防犯センサのスイッチの接点であるが、半導体スイッチの場合は、オープンコレクタの出力でもよい。
【００４０】
警備会社の操作パネル２０と防犯インターフェース１１をつなぐ信号線２２は、電圧がかかったり、電流が流れたりするわけではないので、２芯であればどのような電線でもかまわず、細い電線でよい。
【００４１】
図２は、防犯インターフェース１１の構成の詳細を示すものであり、上蓋１１ａを取り外した拡大図を示している。防犯インターフェース１１には、無電圧ａ接点２１に接続された信号線２２を接続する入力端子１４と、出力端子１５と、コントロールユニット１０に接続する信号線１９をつなぐ接続端子１６と、各種シーンの呼び出しおよびＯＦＦを設定するディップスイッチ１７と、出力状態表示用発光ダイオード１８とが設けられている。
【００４２】
接続端子１６には、コントロールユニット１０のほか、外光の明るさを検出する外光センサ、部屋の中の人の存在を感知する在室センサ、時刻や曜日などに応じて演出照明のシーンを設定するセンサ等、他の機器を接続することができる。
【００４３】
外光センサを用いて、昼間、夕暮れ、夜間と、外光の明るさにより照明を自動的に調光することにより、留守にしている時にも、内部に人がいて照明を操作しているという状況を作り、泥棒などが侵入することを躊躇させ、犯罪を未然に防止することができる。
【００４４】
また、複数のシーンを、在室センサによる人間の有無により自動的に調光可能な機能を備えることにより、リビングなど、人が入出すれば自動的に所定の照度に調光し、退室すれば一定時間後に照度を低くすることで、節電と演出照明を行うことができる。
【００４５】
タイマを用いて、複数のシーンを時刻や曜日により自動的に調光することで、留守にしている時にも、内部に人がいて照明を操作しているという状況を作り、泥棒などが侵入することを躊躇させ、犯罪を未然に防止することができる。
【産業上の利用可能性】
【００４６】
本発明は、演出照明を利用した防犯照明システムとして、一般住宅、商用施設のほか、ホテル、レストラン等に利用することができる。
【図面の簡単な説明】
【００４７】
【図１】本発明の実施の形態の構成を示すブロック図である。
【図２】本発明の実施の形態における防犯インターフェースの構成を示すブロック図である。
【符号の説明】
【００４８】
１  外灯
２  玄関照明
３  廊下照明
４  リビング照明
５  中庭照明
６  寝室照明
１０  コントロールユニット
１１  防犯インターフェース
１１ａ  上蓋
１２  シーンコントローラ
１３  リモコン
１４  入力端子
１５  出力端子
１６  接続端子
１７  ディップスイッチ
１８  出力状態表示用発光ダイオード
１９  信号線
２０  操作パネル
２１  無電圧ａ接点
２２  信号線
【図１】
2005317451.tif 000003
【図２】
2005317451.tif 000004